【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
光源を提供し、光を透過および散乱する身体に前記光を誘導することと、
第１光学系を介して、透過光を光検出器に誘導し、前記第１光学系が前記身体からの散乱光をブロックして、ブロックされた光が前記光検出器に到達しないようにすることと、
前記第１光学系を介して、一波長域における前記身体からの透過光を測定することと、
第２光学系を介して、前記透過光と前記散乱光の一部とを前記光検出器に誘導することと、
前記第２光学系を介して、前記一波長域における前記身体からの散乱光の一部を測定することと、
測定データと物質の物質濃度との間の所定の相関関係に基づいて前記身体内の前記物質濃度を求めることであって、前記測定データは測定された透過光および測定された散乱光に関連することと、
を備える方法。
【請求項２】
前記第１光学系を介して、他波長域における前記身体からの透過光を測定することと、
前記第２光学系を介して、前記他波長域における前記身体からの散乱光の一部を測定することであって、前記測定データは、前記他波長域における測定された散乱光および測定された透過光にさらに関連することと、
をさらに備える、請求項１に記載の方法。
【請求項３】
前記一波長域における測定された散乱光と、前記他波長域における測定された散乱光との比に基づいて、散乱光比パラメータを計算することと、
前記一波長域における測定された透過光と、前記他波長域における測定された透過光との比に基づいて、透過光比パラメータを計算することであって、前記測定データは、前記散乱光比パラメータおよび前記透過光比パラメータを含むことと、
をさらに備える、請求項２に記載の方法。
【請求項４】
周辺温度を測定することと、
身体表面温度を測定することと、
体温を測定することと、
前記物質濃度を求める前に、前記周辺温度、前記身体表面温度、および前記体温に基づいて、前記測定データ、前記所定の相関関係、またはその両方を修正することと、
をさらに備える、請求項１から３のいずれか一項に記載の方法。
【請求項５】
前記光源を調節することをさらに備える、請求項１に記載の方法。
【請求項６】
前記物質はグルコースである、請求項１に記載の方法。
【請求項７】
前記一波長域は、前記物質が透過光の吸収に影響を及ぼす波長を含み、前記他波長域は、前記物質が透過光の吸収にまったくまたはごく僅かにしか影響を及ぼさない波長を含む、請求項２に記載の方法。
【請求項８】
コリメートレンズを有する前記光源を提供し、コリメート光を透過および散乱する前記身体に前記コリメート光を誘導することであって、前記コリメート光が近赤外線光であり、散乱が０°より大きく１０°までの範囲の小角散乱を含むことと、
前記第１光学系を介して、前記透過光を前記光検出器に誘導し、前記第１光学系が前記身体からの散乱光を１つまたは複数の視野制限部でブロックして、ブロックされた光が前記光検出器に到達しないようにし、前記透過光を第１レンズでキャプチャして前記透過光を前記光検出器に誘導することであって、前記第１レンズが、小角散乱光の少なくとも一部さえも前記第１レンズによってキャプチャされて前記光検出器に到達することがないように選択された有効口径直径およびｆ／３以上のｆ値を有することと、
前記第１光学系を介して、前記一波長域における前記身体からのコリメート透過光を測定することと、
前記第１光学系を介して、前記他波長域における前記身体からのコリメート透過光を測定することと、
前記第２光学系を介して、前記透過光および前記小角散乱光を第２レンズでキャプチャし、前記透過光および前記小角散乱光を前記光検出器に誘導することであって、前記第２レンズが、前記小角散乱光の全てが前記第２レンズによってキャプチャされて前記光検出器に到達するように選択された有効口径直径およびｆ／１以下のｆ値を有することと、
前記第２光学系を介して、前記一波長域における前記身体からの小角散乱光を測定することと、
前記第２光学系を介して、前記他波長域における前記身体からの小角散乱光を測定することと、
測定データと物質濃度との間の所定の相関関係に基づいて前記身体内の前記物質濃度を求めることであって、前記測定データは前記散乱光比パラメータおよび前記透過光比パラメータを含むことと、
をさらに備える、請求項３に記載の方法。
【請求項９】
光源を提供し、光を透過および散乱する身体に前記光を誘導することであって、前記光が近赤外線光であり、散乱が０°より大きく１０°までの範囲の小角散乱を含むことと、
第１光学系を介して、透過光を光検出器に誘導し、前記第１光学系が前記透過光をレンズでキャプチャすることであって、前記レンズが、小角散乱光の少なくとも一部さえも前記レンズによってキャプチャされて前記光検出器に到達することがないように選択された有効口径直径を有することと、
前記第１光学系を介して、一波長域における前記身体からの透過光を測定することと、
前記第１光学系を介して、他波長域における前記身体からの透過光を測定することと、
第２光学系を介して、前記透過光および前記小角散乱光を前記光検出器に誘導することと、
前記第２光学系を介して、前記一波長域における前記身体からの小角散乱光を測定することと、
前記第２光学系を介して、前記他波長域における前記身体からの小角散乱光を測定することと、
測定データと物質濃度との間の所定の相関関係に基づいて前記身体内の前記物質濃度を求めることであって、前記測定データは前記一波長域における測定された透過光および測定された散乱光に関連し、且つ前記他波長域における測定された透過光および測定された散乱光にさらに関連することと、
を備える方法。
【請求項１０】
前記第１光学系が前記身体からの散乱光をブロックし、ブロックされた光が前記光検出器に到達しないようにすることをさらに備える、請求項９に記載の方法。
【請求項１１】
１つまたは複数の視野制限部で前記散乱光をブロックする、請求項１０に記載の方法。
【請求項１２】
プロセッサにより実行されたとき、
光源を作動させて、光を透過及び散乱する身体に前記光を誘導することと、
第１光学系を介して、透過光を光検出器に誘導し、前記光検出器に到達してしまうであろう散乱光を前記光検出器からブロックすることと、
前記第１光学系を介して、一波長域における前記身体からの透過光の測定値を受信することと、
第２光学系を介して、前記透過光と前記散乱光の一部とを前記光検出器に誘導することと、
前記第２光学系を介して、前記一波長域における前記身体からの散乱光の一部の測定値を受信することと、
測定データとグルコース濃度との間の所定の相関関係に基づいて前記身体内の物質濃度を求めることであって、前記測定データは前記透過光の測定値および前記散乱光の測定値に関連することと、
を備える動作の起動または実行を前記プロセッサに行わせる命令を格納する非一時的コンピュータ可読媒体。
【請求項１３】
光を透過および散乱する身体に前記光を誘導するよう構成された光源と、
一波長域および他波長域における光を測定するよう構成された光検出器と、
透過光を前記光検出器に誘導するよう構成され、且つ散乱光をブロックして前記散乱光が前記光検出器に到達しないようにするようさらに構成された第１光学系と、
前記透過光と前記散乱光の一部とを前記光検出器に誘導するよう構成された第２光学系と、
を備えるシステム。
【請求項１４】
前記光源は、選択的に前記一波長域および前記他波長域におけるコリメート近赤外線光ビームを生成するよう構成された近赤外線レーザ・ダイオードおよびコリメートレンズを含む、請求項１３に記載のシステム。
【請求項１５】
前記光源は、前記一波長域におけるコリメート近赤外線光ビームを生成するよう構成された第１近赤外線レーザ・ダイオードおよび第１コリメートレンズと、前記他波長域におけるコリメート近赤外線光ビームを生成するよう構成された第２近赤外線レーザ・ダイオードおよび第２コリメートレンズとを含む、請求項１３に記載のシステム。
【請求項１６】
前記第１光学系は、前記透過光を前記光検出器に誘導するよう構成されたｆ／３以上のｆ値を有するレンズを含む、請求項１３に記載のシステム。
【請求項１７】
前記第１光学系は、前記光検出器に到達してしまうであろう前記レンズにおける前記散乱光の受容を阻害するよう構成された１つまたは複数の視野制限部をさらに含む、請求項１６に記載のシステム。
【請求項１８】
前記第２光学系は、前記透過光と前記散乱光の一部とを前記光検出器に誘導するよう構成されたｆ／１以下のｆ値を有するレンズを含む、請求項１３に記載のシステム。
【請求項１９】
前記散乱光の一部は、０°より大きく１０°までの小角散乱の範囲内で前記身体により散乱された光に制限される、請求項１３に記載のシステム。
【請求項２０】
前記光源と前記光検出器との間に、前記第１光学系または前記第２光学系を選択的に配置するよう構成されたモータをさらに備える、請求項１３に記載のシステム。
【請求項２１】
前記一波長域内の光を通過させ、且つ前記他波長域内の光をブロックするよう構成された干渉フィルタをさらに備え、物質は前記身体による前記一波長域内の光の吸収に影響を及ぼし、前記物質は前記身体による前記他波長域内の光の吸収にまったくまたはごく僅かにしか影響を及ぼさない、請求項１３に記載のシステム。
【請求項２２】
前記光源と前記光検出器との間に、前記干渉フィルタを選択的に配置するよう構成されたモータをさらに備える、請求項２１に記載のシステム。
【請求項２３】
前記光検出器は、シリコン、ヒ化アルミニウムガリウム、およびこれらの組み合わせから選択された少なくとも１つの材料を備える、請求項１３に記載のシステム。
【請求項２４】
前記光検出器は、他の光源からの光ノイズの検出を低減させるよう構成されたロックイン増幅器に連結されている、請求項１３に記載のシステム。
【請求項２５】
プロセッサおよびメモリをさらに備え、前記メモリは、前記プロセッサにより実行されたとき、
光源を作動させて、光を透過および散乱する身体に前記光を誘導することと、
第１光学系を介して、透過光を光検出器に誘導し、前記光検出器に到達してしまうであろう散乱光を前記光検出器からブロックすることと、
前記第１光学系を介して、一波長域における前記身体からの透過光の測定値を受信することと、
第２光学系を介して、前記透過光と前記散乱光の一部とを前記光検出器に誘導することと、
前記第２光学系を介して前記一波長域における前記身体からの散乱光の一部の測定値を受信することと、
測定データと物質濃度との間の所定の相関関係に基づいて前記身体内の前記物質濃度を求めることであって、前記測定データは前記透過光の測定値および前記散乱光の測定値に関連することと、
を含む動作の起動または実行を前記プロセッサに行わせる命令を含む、請求項１３に記載のシステム。